(57)【要約】  本技術は、データの送受信を行うピン数を低減させることができるようにする信号処理装置、信号処理方法、並びにプログラムに関する。取得した信号を処理する処理部同士で授受すべき信号を分類し、分類されたグループ内の信号を時分割多重して伝送する信号伝送部を備える。分類は、信号の更新周期、更新タイミング、許容される伝送遅延の少なくとも１つの特性に依存して行われる。またグループ内に属する信号は、更新周期内に伝送が完了し、許容される遅延の範囲内で伝送が完了し、最小のピン数で伝送されるように時分割多重される。本技術は、放送電波を受信し、処理する受信装置に適用できる。
2015079943.tif 000002
【特許請求の範囲】
【請求項１】
取得した信号を処理する処理部同士で授受すべき信号を分類し、前記分類されたグループ内の信号を時分割多重して伝送する信号伝送部
を備える信号処理装置。
【請求項２】
前記分類は、信号の更新周期、更新タイミング、許容される伝送遅延の少なくとも１つの特性に依存して行われる
請求項１に記載の信号処理装置。
【請求項３】
前記グループ内に属する信号は、更新周期内に伝送が完了し、許容される遅延の範囲内で伝送が完了し、最小のピン数で伝送されるように時分割多重される
請求項１に記載の信号処理装置。
【請求項４】
異なる前記グループに属する信号のうち、更新周期内に伝送が完了し、許容される遅延の範囲内に伝送が完了する信号は、時分割多重され、同一のピンで伝送される
請求項１に記載の信号処理装置。
【請求項５】
前記分類されたグループは、
イネーブル信号を含む第１のグループ、イネーブル信号に同期する信号が属する第２のグループ、不定期に周期が変化する信号が属する第３のグループ、および基本的に周期が変化しない信号が属する第４のグループである
請求項１に記載の信号処理装置。
【請求項６】
前記分類されたグループは、
イネーブル信号を含む第１のグループ、OFDMの各サブキャリアのデータとスタートフラグを含み、OFDMの１シンボル中に数千回のデータ伝送を必要とする信号が属する第２のグループ、内部状態を表す信号が属する第３のグループ、および放送パラメータを表す信号が属する第４のグループである
請求項１に記載の信号処理装置。
【請求項７】
前記第１のグループに属する信号は、１本のピンで伝送され、前記第２のグループに属する信号は、所定の本数のピンで伝送され、前記第３のグループに属する信号と前記第４のグループに属する信号は、同一の所定の本数のピンで伝送される
請求項６に記載の信号処理装置。
【請求項８】
前記処理部同士の前記信号の伝送方向は、単方向であり、
前記処理部同士の前記クロックの伝送方向は、単方向である
請求項１に記載の信号処理装置。
【請求項９】
前記処理部同士の前記信号の伝送方向は、双方向であり、
前記処理部同士の前記クロックの伝送方向は、双方向である
請求項１に記載の信号処理装置。
【請求項１０】
前記処理部同士の前記信号の伝送方向は、双方向であり、
前記処理部同士の前記クロックの伝送方向は、単方向である
請求項１に記載の信号処理装置。
【請求項１１】
前記処理部は、前記処理部の外部に設けられ、クロックを生成し、前記処理部に供給するクロック生成部からのクロックで動作する
請求項１に記載の信号処理装置。
【請求項１２】
第１の処理部から伝送されてきた前記時分割多重されている前記信号を受信する第２の処理部は、
前記第１の処理部から伝送されてきたクロックから、自己が生成したクロックに乗換、前記第１の処理部からの信号を処理する
請求項１に記載の信号処理装置。
【請求項１３】
取得した信号を処理する処理部同士で授受すべき信号を分類し、
前記分類されたグループ内の信号を時分割多重して伝送する
ステップを含む信号処理方法。
【請求項１４】
取得した信号を処理する処理部同士で授受すべき信号を分類し、
前記分類されたグループ内の信号を時分割多重して伝送する
ステップを含む処理をコンピュータに実行させるためのプログラム。
【請求項１５】
同一の構成を有する処理部にデータを伝送する伝送部と、
同一の構成を有する処理部からのデータを受信する受信部と
を備え、
前記伝送部は、
伝送するデータを時分割多重し、第１の伝送データを生成する伝送データ生成部と、
クロックを生成するクロック生成部と、
前記伝送データ生成部で生成された前記第１の伝送データを、前記クロックに同期させ、前記処理部に伝送する第１の同期部と
を備え、
前記受信部は、
前記処理部から供給されるクロックで、時分割多重されている第２の伝送データを同期させる第２の同期部と、
前記処理部からのクロックから、前記クロック生成部で生成したクロックに乗り換える乗換部と、
前記乗換部でクロックが乗り換えられた前記第２の伝送データの時分割多重を解き、データを復元する伝送データ復元部と
を備える
信号処理装置。
【請求項１６】
同一の構成を有する処理部にデータを伝送する伝送部と、
同一の構成を有する処理部からのデータを受信する受信部と
を備え、
前記伝送部は、
伝送するデータを時分割多重し、第１の伝送データを生成する伝送データ生成部と、
クロックを生成するクロック生成部と、
前記伝送データ生成部で生成された前記第１の伝送データを、前記クロックに同期させる第１の同期部と、
前記クロックから、前記処理部から供給されるクロックに乗換、前記処理部に前記第１の伝送データを伝送する第１の乗換部と
を備え、
前記受信部は、
前記処理部から供給されるクロックで、前記処理部からの時分割多重されている第２の伝送データを同期させる第２の同期部と、
前記処理部からのクロックから、前記クロック生成部で生成したクロックに乗り換える第２の乗換部と、
前記乗換部でクロックが乗り換えられた前記第２の伝送データの時分割多重を解き、データを復元する伝送データ復元部と
を備える
信号処理装置。
【請求項１７】
同一の構成を有する処理部にデータを伝送する伝送部と、
同一の構成を有する処理部からのデータを受信する受信部と
を備え、
前記伝送部は、
伝送するデータを時分割多重し、第１の伝送データを生成する伝送データ生成部と、
前記伝送データ生成部で生成された前記第１の伝送データを、外部のクロック生成部で生成されたクロックに同期させ、前記処理部に伝送する第１の同期部と
を備え、
前記受信部は、
前記クロック生成部で生成された前記クロックで、前記処理部からの時分割多重されている第２の伝送データを同期させる第２の同期部と、
前記第２の同期部で前記クロックと同期された前記第２の伝送データの時分割多重を解き、データを復元する伝送データ復元部と
を備える
信号処理装置。
【発明の詳細な説明】
【技術分野】
【０００１】
本技術は、信号処理装置、信号処理方法、並びにプログラムに関する。詳しくは、ダイバーシティを用いた受信における性能を向上させるのに適した信号処理装置、信号処理方法、並びにプログラムに関する。
【背景技術】
【０００２】
テレビジョンや携帯端末装置等のディスプレイを有する画像表示機器には、複数のアンテナを有する受信装置を備えたものがある（例えば、特許文献１参照）。【０００３】
複数のアンテナで受信した同一の信号について、電波状況の優れたアンテナの信号を優先的に用いたり、受信した信号を合成してノイズを除去したりすることによって、通信の質や信頼性の向上を図る技術がある。このような技術は、ダイバーシティと称される。
【先行技術文献】
【特許文献】
【０００４】
【特許文献１】特開２０１３−１３５２７０号公報
【発明の概要】
【発明が解決しようとする課題】
【０００５】
ダイバーシティを実現するために、複数のアンテナ毎に、ＬＳＩ（Large Scale Integration）を備え、複数のアンテナでそれぞれ受信された信号を処理し、合成や選択を行うことが提案されている。複数のＬＳＩを備える場合、ＬＳＩ間で伝送すべき信号が多い場合、送信用のピンや受信用のピンの数が増大し、受信装置のコストが増大してしまう可能性があった。そこで、ピンの数を減らす構成とすることが望まれている。【０００６】
また、複数のＬＳＩ間でクロックの位相が同一であることは保証されていないため、適切な対処を行い、伝送が必要な信号を取りこぼすことなく伝送する必要がある。【０００７】
また、ダイバーシティを実現するＬＳＩを、１つのＬＳＩで構成した場合、ダイバーシティ用のＬＳＩとなり、例えば、ダイバーシティではない受信装置には用いることができない、または用いると構成が冗長になってしまう。よって、ダイバーシティを実現するＬＳＩを、１つのＬＳＩで構成した場合、汎用性が低くなってしまう。【０００８】
しかしながら、コストを下げるには、汎用性の高いＬＳＩを用いるのが良く、ダイバーシティの構成を有する受信装置だけでなく、ダイバーシティの構成を有しない受信装置にも用いることができるＬＳＩであることが望ましい。そこで、上記したように、１つのアンテナで受信された信号を処理するＬＳＩを、アンテナ毎に設けることで、ダイバーシティの構成を有する受信装置を構成することが考えられる。しかしながら、複数のＬＳＩを設けることで、上記したように、コストが増大する可能性があった。【０００９】
本技術は、このような状況に鑑みてなされたものであり、ダイバーシティに適したＬＳＩを提供することができるようにするものである。
【課題を解決するための手段】
【００１０】
本技術の一側面の第１の信号処理装置は、取得した信号を処理する処理部同士で授受すべき信号を分類し、前記分類されたグループ内の信号を時分割多重して伝送する信号伝送部を備える。【００１１】
前記分類は、信号の更新周期、更新タイミング、許容される伝送遅延の少なくとも１つの特性に依存して行われるようにすることができる。【００１２】
前記グループ内に属する信号は、更新周期内に伝送が完了し、許容される遅延の範囲内で伝送が完了し、最小のピン数で伝送されるように時分割多重されるようにすることができる。【００１３】
異なる前記グループに属する信号のうち、更新周期内に伝送が完了し、許容される遅延の範囲内に伝送が完了する信号は、時分割多重され、同一のピンで伝送されるようにすることができる。【００１４】
前記分類されたグループは、イネーブル信号を含む第１のグループ、イネーブル信号に同期する信号が属する第２のグループ、不定期に周期が変化する信号が属する第３のグループ、および基本的に周期が変化しない信号が属する第４のグループであるようにすることができる。【００１５】
前記分類されたグループは、イネーブル信号を含む第１のグループ、OFDMの各サブキャリアのデータとスタートフラグを含み、OFDMの１シンボル中に数千回のデータ伝送を必要とする信号が属する第２のグループ、内部状態を表す信号が属する第３のグループ、および放送パラメータを表す信号が属する第４のグループであるようにすることができる。【００１６】
前記第１のグループに属する信号は、１本のピンで伝送され、前記第２のグループに属する信号は、所定の本数のピンで伝送され、前記第３のグループに属する信号と前記第４のグループに属する信号は、同一の所定の本数のピンで伝送されるようにすることができる。【００１７】
前記処理部同士の前記信号の伝送方向は、単方向であり、前記処理部同士の前記クロックの伝送方向は、単方向であるようにすることができる。【００１８】
前記処理部同士の前記信号の伝送方向は、双方向であり、前記処理部同士の前記クロックの伝送方向は、双方向であるようにすることができる。【００１９】
前記処理部同士の前記信号の伝送方向は、双方向であり、前記処理部同士の前記クロックの伝送方向は、単方向であるようにすることができる。【００２０】
前記処理部は、前記処理部の外部に設けられ、クロックを生成し、前記処理部に供給するクロック生成部からのクロックで動作するようにすることができる。【００２１】
第１の処理部から伝送されてきた前記時分割多重されている前記信号を受信する第２の処理部は、前記第１の処理部から伝送されてきたクロックから、自己が生成したクロックに乗換、前記第１の処理部からの信号を処理するようにすることができる。【００２２】
本技術の一側面の信号処理方法は、取得した信号を処理する処理部同士で授受すべき信号を分類し、前記分類されたグループ内の信号を時分割多重して伝送するステップを含む。【００２３】
本技術の一側面のプログラムは、取得した信号を処理する処理部同士で授受すべき信号を分類し、前記分類されたグループ内の信号を時分割多重して伝送するステップを含む処理をコンピュータに実行させる。【００２４】
本技術の一側面の第１の信号処理装置、信号処理方法、並びにプログラムにおいては、取得した信号を処理する処理部同士で授受すべき信号が分類され、分類されたグループ内の信号が時分割多重されて伝送される。【００２５】
本技術の一側面の第２の信号処理装置は、同一の構成を有する処理部にデータを伝送する伝送部と、同一の構成を有する処理部からのデータを受信する受信部とを備え、前記伝送部は、伝送するデータを時分割多重し、第１の伝送データを生成する伝送データ生成部と、クロックを生成するクロック生成部と、前記伝送データ生成部で生成された前記第１の伝送データを、前記クロックに同期させ、前記処理部に伝送する第１の同期部とを備え、前記受信部は、前記処理部から供給されるクロックで、時分割多重されている第２の伝送データを同期させる第２の同期部と、前記処理部からのクロックから、前記クロック生成部で生成したクロックに乗り換える乗換部と、前記乗換部でクロックが乗り換えられた前記第２の伝送データの時分割多重を解き、データを復元する伝送データ復元部とを備える。【００２６】
本技術の一側面の第２の信号処理装置においては、同一の構成を有する処理部にデータを伝送する伝送部と、データを受信する受信部とが備えられる。伝送部は、伝送するデータを時分割多重し、第１の伝送データを生成し、クロックを生成し、生成された第１の伝送データを、クロックに同期させ、処理部に伝送する。受信部は、処理部から供給されるクロックで、時分割多重されている第２の伝送データを同期させ、処理部からのクロックから、クロック生成部で生成したクロックに乗り換え、クロックが乗り換えられた第２の伝送データの時分割多重を解き、データを復元する。【００２７】
本技術の一側面の第３の信号処理装置は、同一の構成を有する処理部にデータを伝送する伝送部と、同一の構成を有する処理部からのデータを受信する受信部とを備え、前記伝送部は、伝送するデータを時分割多重し、第１の伝送データを生成する伝送データ生成部と、クロックを生成するクロック生成部と、前記伝送データ生成部で生成された前記第１の伝送データを、前記クロックに同期させる第１の同期部と、前記クロックから、前記処理部から供給されるクロックに乗換、前記処理部に前記第１の伝送データを伝送する第１の乗換部とを備え、前記受信部は、前記処理部から供給されるクロックで、前記処理部からの時分割多重されている第２の伝送データを同期させる第２の同期部と、前記処理部からのクロックから、前記クロック生成部で生成したクロックに乗り換える第２の乗換部と、前記乗換部でクロックが乗り換えられた前記第２の伝送データの時分割多重を解き、データを復元する伝送データ復元部とを備える。【００２８】
本技術の一側面の第３の信号処理装置においては、同一の構成を有する処理部にデータを伝送する伝送部と、データを受信する受信部とが備えられる。伝送部は、伝送するデータを時分割多重し、第１の伝送データを生成し、クロックを生成し、生成された第１の伝送データを、クロックに同期させ、生成されたクロックから、処理部から供給されるクロックに乗換、処理部に第１の伝送データを伝送する。受信部は、処理部から供給されるクロックで、処理部からの時分割多重されている第２の伝送データを同期させ、処理部からのクロックから、生成されたクロックに乗り換え、クロックが乗り換えられた第２の伝送データの時分割多重を解き、データを復元する。【００２９】
本技術の一側面の第４の信号処理装置は、同一の構成を有する処理部にデータを伝送する伝送部と、同一の構成を有する処理部からのデータを受信する受信部とを備え、前記伝送部は、伝送するデータを時分割多重し、第１の伝送データを生成する伝送データ生成部と前記伝送データ生成部で生成された前記第１の伝送データを、外部のクロック生成部で生成されたクロックに同期させ、前記処理部に伝送する第１の同期部とを備え、前記受信部は、前記クロック生成部で生成された前記クロックで、前記処理部からの時分割多重されている第２の伝送データを同期させる第２の同期部と、前記第２の同期部で前記クロックと同期された前記第２の伝送データの時分割多重を解き、データを復元する伝送データ復元部とを備える。【００３０】
本技術の一側面の第４の信号処理装置においては、同一の構成を有する処理部にデータを伝送する伝送部と、データを受信する受信部とが備えられる。伝送部は、伝送するデータを時分割多重し、第１の伝送データを生成し、生成された第１の伝送データを、外部のクロック生成部で生成されたクロックに同期させ、処理部に伝送する。受信部は、クロック生成部で生成されたクロックで、処理部からの時分割多重されている第２の伝送データを同期させ、クロックと同期された第２の伝送データの時分割多重を解き、データを復元する。
【発明の効果】
【００３１】
本技術の一側面によれば、ダイバーシティに適したＬＳＩを提供することができる。【００３２】
なお、ここに記載された効果は必ずしも限定されるものではなく、本開示中に記載されたいずれかの効果であってもよい。
【図面の簡単な説明】
【００３３】
【図１】受信部の構成例を示す図である。
【図２】伝送する信号の分類の仕方について説明するためのフローチャートである。
【図３】分類結果を示す図である。
【図４】分類結果を示す図である。
【図５】データとクロックを伝送する受信部の構成を示す図である。
【図６】単方向でクロックを伝送するときの条件について説明するための図である。
【図７】単方向でクロックを伝送する受信部の構成を示す図である。
【図８】共通クロックを用いた受信部の構成を示す図である。
【図９】データとクロックを伝送する受信部の構成を示す図である。
【図１０】単方向でクロックを伝送する受信部の構成を示す図である。
【図１１】共通クロックを用いた受信部の構成を示す図である。
【図１２】記録媒体について説明するための図である。
【発明を実施するための形態】
【００３４】
以下に、本技術を実施するための形態（以下、実施の形態という）について説明する。なお、説明は、以下の順序で行う。
１．受信部の構成
２．伝送方法の決定処理について
３．クロックと伝送データを一緒に送信する実施の形態
４．クロックの単方向伝送について
５．共通クロックの使用について
６．双方向クロック伝送の受信部
７．単方向クロック伝送の受信部
８．共通クロックの受信部
９．記録媒体について
【００３５】
＜受信部の構成＞
以下に説明する本技術は、ダイバーシティと称される技術に適用できるため、ダイバーシティを例にあげて説明を行う。ダイバーシティは、複数のアンテナで受信した同一の信号について、電波状況の優れたアンテナの信号を優先的に用いたり、受信した信号を合成してノイズを除去したりすることによって、通信の質や信頼性の向上を図る技術である。
【００３６】
また、本技術を適用した信号処理部と一般的な信号処理部との差異を明確にするために、先に一般的な信号処理部とその動作について説明し、その後、本技術を適用した信号処理部について説明する。ここで信号処理部とは、所定の信号を取得し処理する装置に含まれ、以下の説明では、放送電波を受信する受信装置に含まれ、主にアンテナからの信号を処理する部分であるとして説明を続ける。
【００３７】
図１は、受信部の一例の構成を示す図である。図１に示した受信部は、２つのアンテナ１０１とアンテナ１５１を備え、それぞれのアンテナ１０１,１５１で受信された信号を処理するＬＳＩ１００とＬＳＩ１５０を備えた構成とされている。
【００３８】
ＬＳＩ１００は、チューナ１０２、ＢＰＦ（バンドパスフィルタ）１０３、Ａ／Ｄ変換部１０４、直交復調部１０５、ＦＦＴ（Fast Fourier Transform）演算部１０６、等化部１０７、合成部１０８、誤り訂正部１０９、セレクタ１１０、およびクロック生成部１１１を備える構成とされている。またチューナ１０２は、乗算部１２１と局部発振器１２２から構成されている。
【００３９】
同様に、ＬＳＩ１５０は、チューナ１５２、ＢＰＦ１５３、Ａ／Ｄ変換部１５４、直交復調部１５５、ＦＦＴ演算部１５６、等化部１５７、合成部１５８、誤り訂正部１５９、セレクタ１６０、およびクロック生成部１６１を備える構成とされている。またチューナ１５２は、乗算部１７１と局部発振器１７２から構成されている。
【００４０】
ＬＳＩ１００は、ＬＳＩ１５０と同一のＬＳＩであり、メインモードで動作するＬＳＩを表し、原発振１９０の出力をもとに、クロック生成部１１１で生成されたクロックに同期して動作する。ＬＳＩ１５０は、ＬＳＩ１００と同一のＬＳＩであり、サブモードで動作するＬＳＩを表し、原発振１９０の出力をもとに、クロック生成部１６１で生成されたクロックに同期して動作する。
【００４１】
このとき、クロック生成部１１１の出力クロックと、クロック生成部１６１の出力クロックの周波数は一致するが、クロックの位相については保証されていない。図２以降を参照して後述する本技術を適用した受信部も、クロックの位相については保証されないが、保証されない点を補い、伝送が必要な信号を取りこぼすことなく伝送できる構成となっている。ただし、後述する共通クロックを用いる場合は、クロックの位相も保証されている実施の形態である。
【００４２】
放送局から放送された放送波は、アンテナ１０１により受信され、RF信号としてチューナ１０２に供給される。チューナ１０２は、乗算部１２１および局部発振器１２２から構成され、アンテナ１０１より受信されたRF信号をIF信号に周波数変換する。このチューナ１０２により得られたIF信号は、バンドパスフィルタ１０３によりフィルタリングされた後、Ａ／Ｄ変換部１０４によりデジタル化され、直交復調部１０５に供給される。
【００４３】
直交復調部１０５は、デジタル化されたIF信号を直交復調し、OFDM（Orthogonal Frequency-Division Multiplexing）時間域信号を出力する。OFDM時間域信号は、ＦＦＴ演算部１０６に供給される。ＦＦＴ演算部１０６は、OFDM時間領域信号に対してＦＦＴ演算を行ない、OFDM周波数域信号を出力する。ＦＦＴ演算部１０６から出力される信号は、ＦＦＴされた後のいわゆる周波数領域の信号である。このことから、ＦＦＴ演算後の信号をOFDM周波数域信号と呼ぶ。
【００４４】
OFDM周波数域信号は、等化部１０７に供給される。等化部１０７は、全てのサブキャリアに対して伝送路特性を算出し、これによりOFDM周波数域信号の伝送路による歪みを補償し、１系統目の等化信号ａを得る。このとき、等化部１０７は、各等化信号の１系統目の信頼度情報ｂも同時に出力する。等化信号ａと信頼度情報ｂは、合成部１０８に対して出力される。
【００４５】
同様に、放送局から放送された放送波は、アンテナ１５１からも受信され、RF信号としてチューナ１５２に供給される。チューナ１５２は、乗算部１７１および局部発振器１７２から構成され、アンテナ１５１より受信されたRF信号をIF信号に周波数変換する。このチューナ１５２により得られたIF信号は、バンドパスフィルタ１５３によりフィルタリングされた後、Ａ／Ｄ変換部１５４によりデジタル化され、直交復調部１５５に供給される。
【００４６】
直交復調部１５５は、デジタル化されたIF信号を直交復調し、OFDM時間域信号を出力する。OFDM時間域信号は、ＦＦＴ演算部１５６に供給される。ＦＦＴ演算部１５６は、OFDM時間領域信号に対してＦＦＴ演算を行ない、各サブキャリアに直交変調されているデータを抽出して出力する。
【００４７】
ＦＦＴ演算部１５６は、OFDM時間領域信号に対してＦＦＴ演算を行ない、OFDM周波数域信号を出力する。OFDM周波数域信号は、等化部１５７に供給される。等化部１５７は、全てのサブキャリアに対して伝送路特性を算出し、これによりOFDM周波数域信号の伝送路による歪みを補償し、２系統目の等化信号ａ’を得る。このとき、等化部１５７は、各等化信号の２系統目の信頼度情報ｂ’も同時に出力する。
【００４８】
２系統目の等化信号ａ’と２系統目の信頼度情報ｂ’はメインモードで動作するＬＳＩ１００に対して送信される。メインモードで動作するＬＳＩ１００では、２系統目の等化信号ａ”と２系統目の信頼度情報ｂ”として受信される。
【００４９】
ＬＳＩ１００の合成部１０８は、１系統目の等化信号ａと２系統目の等化信号ａ”が、１系統目の信頼度情報ｂと２系統目の信頼度情報ｂ”に基づいて、合成、または選択を行い、品質が改善された等化信号と、ダイバーシティ利得を反映した信頼度情報を、誤り訂正部１０９に出力する。
【００５０】
誤り訂正部１０９は、ビタビ復号、拡散信号除去、RS復号を行い、復号データを出力する。誤り訂正部１０９が出力するフィードバック信号ｃは、セレクタ１１０を通して等化部１０７に入力される。一方、フィードバック信号ｃは、サブモードで動作するＬＳＩ１５０に対しても送信される。サブモードで動作するＬＳＩ１５０では、フィードバック信号ｃ’として受信され、セレクタ１６０を通して等化部１５７に供給される。
【００５１】
このような構成にすると、ダイバーシティ利得を得ることを前提とするかどうかに関わらず、共通のＬＳＩを使用することができる。ダイバーシティ利得を得ることが不要なシステムにおいては、このようなＬＳＩを１つ適用する（ＬＳＩ１００またはＬＳＩ１５０のどちらかを使用する）ことにより、受信装置のコストアップを抑えることができる。また、ダイバーシティ利得を得ることが必要なシステムにおいては、このようなＬＳＩを２つ適用する（ＬＳＩ１００とＬＳＩ１５０を使用する）ことにより、ダイバーシティ利得を得ることができる。
【００５２】
一方で、ＬＳＩ１００とＬＳＩ１５０の間で伝送する必要がある信号が多い場合、受信用のピンと送信用のピンの数が増大し、ＬＳＩのコストアップにつながってしまうため、受信用のピン数と送信用のピン数を抑える必要がある。例えば、ＬＳＩ１５０からＬＳＩ１００に供給される２系統目の等化信号ａ”、２系統目の信頼度情報ａ”を授受するためのピンや、ＬＳＩ１００からＬＳＩ１５０に供給されるフィードバック信号ｃ’を授受するためのピンが必要であり、そのピンは、データ量などに応じたピン数が必要である。
【００５３】
また、ＬＳＩ１００とＬＳＩ１５０との間でクロックの位相が同一であることが保証されないため、適切な対処を行い、伝送が必要な信号を取りこぼすことなく伝送する必要がある。
【００５４】
このように、複数のＬＳＩを用いてダイバーシティ利得を得る要求があるシステムにおいて、ＬＳＩ間の伝送に必要な信号が非常に多い場合、受信用のピンと送信用のピンの数が増大し、受信部のコストアップにつながってしまうため、受信用のピン数と送信用のピン数を抑える必要がある。また、複数のＬＳＩ間でクロックの位相が同一であることが保証されないため、適切な対処を行い、伝送が必要な信号を取りこぼすことなく伝送する必要がある。
【００５５】
そこで、以下に説明するように、受信用のピン数と送信用のピン数を抑え、伝送が必要な信号を取りこぼすことなく伝送することができる技術について説明する。
【００５６】
＜伝送方法の決定処理について＞
複数のＬＳＩ（ここでは、２個のＬＳＩ）を用いてダイバーシティ利得を得る要求があるシステムにおいて、受信用のピン数と送信用のピン数を抑えるため、伝送が必要な信号を時間多重して伝送するようにする。図２に、伝送が必要な信号の伝送方法の決定手順を示す。
【００５７】
この決定手順は、例えば、受信部を設計する段階で行われ、受信部が製造されるときには、その手順により伝送が行われるように構成するようにすることができる。また、受信部の電源が初めてオンにされたときや、オンにされる毎に、決定手順に基づく処理が行われ、伝送方法が決定されるように構成するようにしても良い。さらには、必要に応じ、決定されている伝送方法が更新されるようにしても良い。
【００５８】
図２のフローチャートを参照するに、ステップＳ１１において、まず、伝送が必要な信号がリスト化される。リスト化された信号は、ステップＳ１２において、更新周期、更新タイミング、および許容される伝送遅延により分類される。なおここでは、更新周期、更新タイミング、および許容される伝送遅延により分類されるとして説明を続けるが、更新周期、更新タイミング、および許容される伝送遅延の内の少なくとも１つの特性に依存して分類が行われるようにすることも可能である。
【００５９】
ステップＳ１３において、分類されたグループの中で、時分割多重で伝送する方法が決定される。ここで、時分割多重で伝送する方法は、更新周期内、かつ、許容される遅延の範囲内で伝送が可能であり、さらにピン数が最小になるように決定される。
【００６０】
ステップＳ１４において、異なるグループ間で時分割多重が可能であれば、グループ間の時分割多重で伝送する方法が決定される。この際、ステップＳ１３と同じく、更新周期内、かつ、許容される遅延の範囲内で伝送が可能であるか否かが判断されながら分類が行われる。
【００６１】
この手順で伝送方法を決定することにより、ピン数を要求範囲を満たす範囲内で最小とすることができる。以後、伝送が必要な信号を伝送要求データ、時分割多重された伝送信号を伝送データとする。
【００６２】
ここで、具体的な例を挙げて、伝送方式の決定について説明を加える。図３は、伝送が必要な信号の一例を示す図である。図３に示した例では、ST,EN,A乃至Hの信号をＬＳＩ間で伝送する必要があるとする。STは、スタートフラグであり、ENはイネーブルであり、A乃至Hは、所定の信号であるとする。
【００６３】
図３の左側に示した図は、ステップＳ１１において、リスト化されたリストの一例を示す。リストを参照するに、信号名が“ＳＴ”の信号は、ビット数が“１ビット”であり、更新周期が“３クロック”であり、更新のタイミングが“ＥＮ＝１のとき”であり、許容される伝送遅延が“１０クロック”である。
【００６４】
同様に、信号名が“ＥＮ”の信号は、ビット数が“１ビット”であり、更新周期が“１クロック”であり、許容される伝送遅延が“１０クロック”である。信号名が“Ａ”と“Ｂ”の信号は、それぞれ、ビット数が“３ビット”であり、更新周期が“３クロック”であり、更新のタイミングが“ＥＮ＝１のとき”であり、許容される伝送遅延が“１０クロック”である。
【００６５】
信号名が“Ｃ”の信号は、ビット数が“２ビット”であり、更新周期が“３クロック”であり、更新のタイミングが“ＥＮ＝１のとき”であり、許容される伝送遅延が“１０クロック”である。信号名が“Ｄ”と“Ｅ”の信号は、それぞれ、ビット数が“５ビット”であり、更新周期が“５００クロック”であり、更新のタイミングが“ＳＴ０＝１のとき”であり、許容される伝送遅延が“１００クロック”である。
【００６６】
信号名が“Ｆ”の信号は、ビット数が“３ビット”であり、更新周期が“１５００クロック”であり、更新のタイミングが“不定期”であり、許容される伝送遅延が“１００クロック”である。信号名が“Ｇ”の信号は、ビット数が“１ビット”であり、更新周期が“６００クロック”であり、更新のタイミングが“不定期”であり、許容される伝送遅延が“１００クロック”である。信号名が“Ｈ”の信号は、ビット数が“２ビット”であり、更新周期が“７００クロック”であり、更新のタイミングが“不定期”であり、許容される伝送遅延が“１００クロック”である。
【００６７】
このように、信号名、ビット数、更新周期、更新タイミング、許容される伝送遅延が関連付けられたリストが作成される。
【００６８】
リスト化された信号は、ステップＳ１２において、更新周期、更新タイミング、許容される伝送遅延により分類される。ここでは、Ｇ１からＧ４の４つのグループに分類されるとして説明を続けるが、４グループ以外のグループに分類される場合でも、本技術を適用できる。また、予め４グループに分類するとして分類が行われても良いし、分類の結果、４グループに分類されるようにしても良い。
【００６９】
信号名が“ＳＴ”、“Ａ”、“Ｂ”、“Ｃ”は、更新周期が“３クロック”であり、更新タイミングが“ＥＮ＝１のとき”であり、許容される伝送遅延が“１０クロック”であるという共通点があるため、１つのグループに分類される。ここでは、グループＧ２に分類されるとして説明を続ける。
【００７０】
同じく信号名が“Ｄ”、“Ｅ”は、更新周期が“５００クロック”であり、更新タイミングが“ＳＴ０＝１のとき”であり、許容される伝送遅延が“１００クロック”であるという共通点があるため、１つのグループに分類される。ここでは、グループＧ３に分類されるとして説明を続ける。
【００７１】
同じく信号名が“Ｆ”、“Ｇ”、“Ｈ”は、更新周期はそれぞれ異なるが、更新タイミングが“不定期”であり、許容される伝送遅延が“１００クロック”であるという共通点があるため、１つのグループに分類される。ここでは、グループＧ４に分類されるとして説明を続ける。
【００７２】
残りの信号名が“ＥＮ”の信号は、グループＧ１に分類される。分類結果を、図３の中央部分に示す。
【００７３】
さらにステップＳ１３において、グループ内で時分割多重方法が考慮される。グループＧ１に属する信号名“ＥＮ”は、更新周期が１clockなので、多重不可である。グループＧ２に属する信号は、更新周期が３clockで、ＥＮ＝１に同期して変化するので、ＥＮ＝１をトリガとして、３clockかけてピン（PIN）３本で伝送すると決定される。
【００７４】
グループＧ３に属する信号は、ＳＴ０＝１に同期して変化するので、ＳＴ０＝１をトリガとし、長い更新周期のため、ピン１本で伝送すると決定される。グループＧ４に属する信号は、不定期な更新だが、許容される伝送遅延が大きいことと、長い更新周期のため、信号名が“Ｆ”、“Ｇ”、“Ｈ”の信号の状態が変化したタイミングをトリガとして、ピン１本で伝送すると決定される。
【００７５】
このようなグループ内での時分割多重が決定されると、ステップＳ１４において、グループ間での時分割多重が考慮される。グループＧ１に属する信号は、１クロックで更新されるため、他のグループに属する信号と時分割多重することはできない。
【００７６】
また、グループＧ２に属する信号は、３クロックで更新されるが、グループＧ２に属する信号自体で、時分割多重され、他のグループの信号と時分割多重することができない状態であるため、他のグループの信号とは時分割多重されないと決定される。
【００７７】
グループＧ３に属する信号と、グループＧ４に属する信号は、更新周期が長く、許容される伝送遅延が大きく、グループＧ３に属する信号と、グループＧ４に属する信号で時分割多重を行ったとしても、更新周期内に伝送を終えることができる。
【００７８】
また、許容される伝送遅延内に伝送が可能なため、グループＧ３に属する信号と、グループＧ４に属する信号を時分割多重し、トリガが生じたグループを伝送するようにする。すなわちこの場合、グループＧ３に属する信号と、グループＧ４に属する信号は、グループ間で時分割多重する信号として決定される。
【００７９】
グループＧ３とグループＧ４にそれぞれ属する信号は、同一のピンで伝送される可能性があるため、グループＧ３に属する信号であるのか、グループＧ４に属する信号であるのかを受信側は識別する必要があり、また、Ｇ３またはＧ４に属する信号の開始時点を知る必要がある。受信側でグループＧ３に属する信号であるのか、またはグループＧ４であるのかを識別するための情報、例えば、グループＧ３に属する信号が伝送されるときには“０”、グループＧ４の信号が伝送されるときには“１”という情報が供給されるという規則を設け、その規則に基づき、受信側で識別が行われるようにすることができる。
【００８０】
受信側でグループＧ３に属する信号であるか、またはグループＧ４であるかを識別した後に、信号の開始を認識させるために、スタートフラグが伝送側から伝送される。スタートフラグは、グループＧ３に属する信号やグループＧ４に属する信号の組み合わせでは取り得ない回数の“１”を連続して送信するフラグとすることができる。
【００８１】
例えば、グループＧ３の時間（Time）のｔ＝０〜１０は、“１”が連続して送信される。すなわち１１個の１が連続して送信されるのは、グループＧ３に属する信号の送信の開始を示すスタートフラグであることを表す。グループＧ３に属する信号は、信号名が“Ｄ”と“Ｅ”であり、それぞれ５ビットの信号である。仮に信号名“Ｄ”と“Ｅ”が連続して伝送され、その値が全て“１”であっても、“１”が１０個連続する１０ビットの信号であり、１１個の“１”が連続する信号とはならない。
【００８２】
よって、グループＧ３の信号のスタートフラグとして、１１個の１が連続して伝送される信号を用い、受信側では１２ビット目から信号本体であることを認識し、処理を開始することが可能となる。
【００８３】
同様に、グループＧ４の時間（Time）のｔ＝０〜６は、“１”が連続して送信される。すなわち７個の１が連続して送信されるのは、グループＧ４に属する信号の送信の開始を示すスタートフラグであることを表す。
【００８４】
このように１が７個または１１個連続して送信される信号を受信した受信側では、グループＧ３またはグループＧ４に属する信号の送信の開始を示すスタートフラグであることを認識し、適切な処理を実行することができる。
【００８５】
ここでは、スタートフラグとして、１が７個または１１個連続して送信される例を挙げて説明したが、この例に限らず、グループＧ３に属する信号やグループＧ４に属する信号の組み合わせでは取り得ない信号であれば良い。
【００８６】
またここでは、グループＧ３に属する信号が伝送されるのか、グループＧ４に属する信号が伝送されるのかを表す情報が受信側に提供されるとして説明したが、そのような情報とスタートフラグが兼用されるようにしても良い。
【００８７】
すなわち例えば、グループＧ３に属する信号が伝送されるときには、１２個の１が連続して伝送され、グループＧ４に属する信号が伝送されるときには、１１個の１が連続して伝送されたあと、１個の０が伝送されるようにする。この場合、１１個の１が連続して伝送されるのは、グループＧ３とグループＧ４のどちらの信号でも、取り得ない信号である。
【００８８】
よって、受信側は、ｔ＝０〜１０に、１が連続して伝送されてきた場合、スタートフラグであることを認識することができる。さらに、受信側は、ｔ＝１１のときに１が伝送されてきた場合、グループＧ３の信号が伝送されてくることを認識することができ、ｔ＝１１のとき０が伝送されてきた場合、グループＧ４の信号が伝送されてくることを認識することができる。
【００８９】
このような信号を用いて、グループＧ３に属する信号とグループＧ４に属する信号を識別できるようにし、信号の開始時点を認識できるようにしても良い。なおここで示した信号などは一例であり、どのグループに属する信号であるのかを識別する識別方法や、信号の開始時点を知る方法などは、ここであげた例に限定されるわけではなく、他の方法を適用することも可能である。
【００９０】
このように、伝送が必要な信号をグループ分けすることで、ＬＳＩのピンの数を少なくすることができる。この場合、グループＧ１の信号を送受信するのに１本、グループＧ２の信号を送受信するのに３本、グループＧ３とグループＧ４の信号を送受信するのに１本のピンがあれば良く、合計５本のピンで伝送遅延要求を満たすＬＳＩ間の伝送が可能となる。
【００９１】
図４は、伝送が必要な信号のリストとグループ分けの結果を示す図である。図４の上部には、伝送が必要な信号の具体例であり、リスト化されたリストを示し、図４の下部には、上部に示したリスト化された信号を分類した結果を示す。また、図４に示した信号は、例えば、DVB-T（Digital Video Broadcasting - Terrestrial）規格における信号である。
【００９２】
図３の左側に示したリストと同じく、図４の上部に示したリストは、信号名、ビット数、更新周期、更新タイミング、および許容される伝送遅延がそれぞれ関連付けられたリストとされている。例えば、信号名が“ＳＦＳＴ”の信号は、ビット数が“１ビット”であり、更新のタイミングが“ＥＮ＝１のとき”であり、許容される伝送遅延が“１０クロック”である。信号名が“ＳＦＳＴ”の信号は、スーパーフレームの開始位置を示す信号である。
【００９３】
また信号名が“ＦＳＴ”の信号は、ビット数が“１ビット”であり、更新のタイミングが“ＥＮ＝１のとき”であり、許容される伝送遅延が“１０クロック”である。信号名が“ＦＳＴ”の信号は、フレームの開始位置を示す信号である。信号名が“ＳＳＴ”の信号は、ビット数が“１ビット”であり、更新のタイミングが“ＥＮ＝１のとき”であり、許容される伝送遅延が“１０クロック”である。信号名が“ＳＳＴ”の信号は、伝送スロットの開始位置を示す信号である。
【００９４】
信号名が“ＥＮ”の信号は、ビット数が“１ビット”であり、更新周期が“１クロック”であり、更新のタイミングが“３クロックに１回のパルス”であり、許容される伝送遅延が“１０クロック”である。信号名が“ＥＮ”の信号は、イネーブル信号である。
【００９５】
信号名が“ＤＩ”の信号は、ビット数が“１０ビット”であり、更新のタイミングが“ＥＮ＝１のとき”であり、許容される伝送遅延が“１０クロック”である。信号名が“ＤＱ”の信号は、ビット数が“１０ビット”であり、更新のタイミングが“ＥＮ＝１のとき”であり、許容される伝送遅延が“１０クロック”である。
【００９６】
信号名が“ＣＳＩ”の信号は、ビット数が“１０ビット”であり、更新のタイミングが“ＥＮ＝１のとき”であり、許容される伝送遅延が“１０クロック”である。信号名が“ＣＳＩ”の信号は、チャンネルの状態情報を示す信号である。
【００９７】
信号名が“AGC LOCK”の信号は、ビット数が“１ビット”であり、更新周期が“１０００クロック”であり、更新のタイミングが“不定期”であり、許容される伝送遅延が“５００クロック”である。信号名が“DMDACT”の信号は、ビット数が“１ビット”であり、更新周期が“１０００クロック”であり、更新のタイミングが“不定期”であり、許容される伝送遅延が“５００クロック”である。
【００９８】
信号名が“CORESTATE”の信号は、ビット数が“４ビット”であり、更新周期が“１０００クロック”であり、更新のタイミングが“不定期”であり、許容される伝送遅延が“５００クロック”である。
【００９９】
信号名が“TPS STATE”の信号は、ビット数が“２ビット”であり、更新周期が“１０００クロック”であり、更新のタイミングが“不定期”であり、許容される伝送遅延が“５００クロック”である。信号名が“TPS LOCK”の信号は、ビット数が“１ビット”であり、更新周期が“１０００クロック”であり、更新のタイミングが“不定期”であり、許容される伝送遅延が“５００クロック”である。信号名が“TPS STATE”の信号と“TPS LOCK”の信号は、伝送パラメータに関する信号である。
【０１００】
信号名が“CNST”の信号は、ビット数が“２ビット”であり、更新周期が“１００００クロック”であり、更新のタイミングが“TPS復号完了時に更新”であり、許容される伝送遅延が“１０００クロック”である。
【０１０１】
信号名が“ＧＩ”の信号は、ビット数が“２ビット”であり、更新周期が“１００００クロック”であり、更新のタイミングが“TPS復号完了時に更新”であり、許容される伝送遅延が“１０００クロック”である。信号名が“ＧＩ”の信号は、ガードインターバルに関する信号である。信号名が“HIERARCHY”の信号は、ビット数が“３ビット”であり、更新周期が“１００００クロック”であり、更新のタイミングが“TPS復号完了時に更新”であり、許容される伝送遅延が“１０００クロック”である。信号名が“HIERARCHY”の信号は、階層に関する信号である。
【０１０２】
信号名が“RATE H”の信号は、ビット数が“３ビット”であり、更新周期が“１００００クロック”であり、更新のタイミングが“TPS復号完了時に更新”であり、許容される伝送遅延が“１０００クロック”である。信号名が“RATE L”の信号は、ビット数が“３ビット”であり、更新周期が“１００００クロック”であり、更新のタイミングが“TPS復号完了時に更新”であり、許容される伝送遅延が“１０００クロック”である。信号名が“RATE H”の信号と信号名が“RATE L”の信号は、伝送レートに関する信号である。
【０１０３】
このような伝送が必要な信号のリストが作成されると、図２に示したフローチャートの処理に基づき信号が分類され、図４の下部に示したようなグループ分けが行われる。図３を参照して説明した場合と同じく、４つのグループに分類された場合を示す。
【０１０４】
グループ名が“Ｇ１”のグループには、周期に関する特徴として、“イネーブル信号、多重不可能”という特徴を有し、信号に関する特徴として、“イネーブル信号”という特徴を有する、信号名が“EN”という信号が分類される。
【０１０５】
グループ名が“Ｇ２”のグループには、周期に関する特徴として、“イネーブル信号に同期する”という特徴を有し、信号に関する特徴として、“OFDM各サブキャリアのデータとスタートフラグ、OFDM  １シンボル中に数千回のデータ伝送が必要”という特徴を有する、信号名が“SFST”、“FST”、“SST”、“DI”、“DQ”、“CSI”という信号が分類される。
【０１０６】
グループ名が“Ｇ３”のグループには、周期に関する特徴として、“不定期に変化する”という特徴を有し、信号に関する特徴として、“内部状態を表す信号”という特徴を有する、信号名が“AGC LOCK”、“DMDACT”、“CORESTATE”、“TPS STATE”、“TPS LOCK”という信号が分類される。
【０１０７】
グループ名が“Ｇ４”のグループには、周期に関する特徴として、“一度決まったら基本的に変化しない信号”という特徴を有し、信号に関する特徴として、“放送パラメータを表す信号”という特徴を有する、信号名が“CNST”、“GI”、“HIERARCHY”、“RATE H”、“RATE L”という信号が分類される。
【０１０８】
この場合、図示はしていないが、図３を参照して説明した場合と同じく、グループＧ３とグループＧ４にそれぞれ属する信号は、１本のピンで、時分割に送信することができる。また、グループＧ３に属する信号であるのか、グループＧ４に属する信号であるのかを識別するための信号や信号の開始時点を知らせる信号（スタートフラグ）など、例えば、図３を参照して説明したような信号を設けるようにしても良い。
【０１０９】
この場合、グループＧ１の信号を送受信するための１本のピン、グループＧ２の信号を送受信するための４本のピン、グループＧ３とグループＧ４の信号を送受信するための１本のピンの合計６本のピンでＬＳＩ間のデータの授受を行える。
【０１１０】
このように、図２に示したフローチャートの処理に基づき、伝送が必要な信号を分類することで、分類したグループ数に応じたピン数に、ＬＳＩのピン数を抑えることが可能となる。
【０１１１】
すなわち、取得した信号、例えば、放送電波を取得して処理する処理部同士で授受すべき信号を、上記したようにして分類し、その分類されたグループ内の信号を時分割多重して伝送する伝送部を備える信号処理装置において、その信号の授受を行う部分のピン数を抑えることが可能となる。
【０１１２】
なお、ここでは、ＬＳＩを例に挙げて説明を続けるが、取得された信号を処理する信号処理部に本技術は適用でき、その適用範囲が、ＬＳＩに限定されるわけではない。
【０１１３】
＜クロックと伝送データを一緒に送信する実施の形態＞
次に、クロックの位相の保証について説明する。複数のＬＳＩ間でクロックの位相が同一であることが保証されないため、適切な対処を行い、伝送が必要な信号を取りこぼすことなく伝送する必要がある。そこで、複数のＬＳＩ間でクロックの位相が異なる場合に、必要な信号を取りこぼすことなく伝送するために、伝送データの送信側のＬＳＩのクロックを受信側に伝送することで伝送を行う場合を例にあげて説明する。
【０１１４】
図５に、クロックを伝送データと一緒に送信する場合の受信部の構成を示す。図５に示した受信部は、クロックを伝送データと一緒に送信する場合の構成について説明するために、簡略化した図面とし、図１に示した受信部に対して適用した場合の構成は、図９を参照して説明する。
【０１１５】
また、図５に示すような構成とすることで、クロックと伝送データを一緒に送信することができ、このような技術は、ダイバーシティを適用した受信部以外にも適用でき、後述するダイバーシティを適用した受信部への適用は一例である。
【０１１６】
図５を参照するに、受信部は、ＬＳＩ２００とＬＳＩ２５０から構成されている。ＬＳＩ２００は、伝送データ生成部２０１、クロック生成部２０２、およびフリップフロップ２０３を含む構成とされている。ＬＳＩ２５０は、クロック生成部２５１、フリップフロップ２５２、乗換部２５３、および伝送データ復元部２５４から構成されている。
【０１１７】
図５に示した受信部において、ＬＳＩ２００は、伝送データを送信する側のＬＳＩであり、ＬＳＩ２５０は、伝送データを受信する側のＬＳＩである。原発振２７０の発振を基に、ＬＳＩ２００のクロック生成部２０２は、クロックを生成する。同様に、原発振２７０の発振を基に、ＬＳＩ２５０のクロック生成部２５１は、クロックを生成する。
【０１１８】
この場合、ＬＳＩ２００のクロック生成部２０２で生成されたクロックとＬＳＩ２５０のクロック生成部２５１で生成されたクロックを比較すると、周波数は同一であることが保証されるが、位相の同期は保証されない。
【０１１９】
伝送データ生成部２０１は、ＬＳＩ２００からＬＳＩ２５０へ伝送が必要な信号に対して時分割多重し、伝送データを生成する。例えば、伝送データ生成部２０１は、図２乃至図４を参照して説明した伝送が必要な信号（データ）の分類に基づき、伝送すべきデータを時分割多重して、ＬＳＩ２５０に伝送するデータを生成する。
【０１２０】
ＬＳＩ２００の伝送データ生成部２０１により生成された伝送データは、フリップフロップ２０３により、クロック生成部２０２で生成されたクロックと同期される。フリップフロップ２０３の出力とクロック生成部２０２で生成されたクロックは、ＬＳＩ２５０に送信される。
【０１２１】
ＬＳＩ２５０では、フリップフロップ２０３からの伝送データｆと、クロック生成部２０２からのクロックｇが受信される。受信された伝送データｆとクロックｇは、ＬＳＩ２５０のフリップフロップ２５２に供給される。
【０１２２】
フリップフロップ２５２においては、供給された伝送データｆとクロックｇが同期される。乗換部２５３では、周波数は同一だが位相の同期が保証されないクロックｇと、クロック生成部２５１により生成されたクロックの間でクロック乗換が行われる。すなわち、乗換部２５３は、外部から供給されたクロックから、内部で生成したクロックへと乗換を実行する。
【０１２３】
ＬＳＩ２５０の伝送データ復元部２５４は、乗換部２５３から内部で発生したクロックのタイミングで供給される伝送データｆを復元する。伝送データｆは、時分割多重されているため、その時分割多重が解かれ、データが取り出される。
【０１２４】
図５に示した構成は、どちらか一方のＬＳＩから他方のＬＳＩに対して単方向の伝送しか行われない場合と、２つのＬＳＩ間で双方向の伝送が行われる場合の両方において適用可能である。
【０１２５】
＜クロックの単方向伝送について＞
周波数が同一であることが保証されるが、位相の同期が保証されないようなクロックの関係であっても、ＬＳＩ間の伝送遅延が一定の条件を満たせばクロックの伝送を単方向のみとすることが出来る。図６を参照して、クロックの単方向伝送が可能な条件を示す。
【０１２６】
図６に示したグラフにおいて、上から１段目は、第１のＬＳＩのクロックを表し、２段目は、第２のＬＳＩで受信された第１のＬＳＩのクロックを表し、３段目は、第２のＬＳＩで受信された第１のＬＳＩのクロックに同期させた第２のＬＳＩから第１のＬＳＩへの伝送データを表し、４段目は、第１のＬＳＩで受信された第２のＬＳＩから第１のＬＳＩへの伝送データを表し、５段目は、第１のＬＳＩのクロックで同期された第２のＬＳＩから第１のＬＳＩの伝送データを表す。
【０１２７】
図６における第１のＬＳＩは、例えば、図５におけるＬＳＩ２００であり、第２のＬＳＩは、ＬＳＩ２５０である。
【０１２８】
第１のＬＳＩと第２のＬＳＩとの間でデータ伝送を双方向で行うとし、第１のＬＳＩのクロックの１サイクルの周期をＴとし、第１のＬＳＩと第２のＬＳＩとの間の伝送遅延をＤとする。このとき、図６の第１段目と第２段目に示したように、第２のＬＳＩで受信された第１のＬＳＩのクロックは、第１のＬＳＩのクロックからＤだけ遅延がついたクロックとなる。
【０１２９】
さらに、図６の第３段目に示したように、この受信クロックに第２のＬＳＩから第１のＬＳＩに伝送するデータを同期させると、第１のＬＳＩのクロックの立ち上がりからＤだけ遅延していることになる。
【０１３０】
このデータを第２のＬＳＩから第１のＬＳＩに伝送すると、図６の４段落目に示すように、さらにＤだけ遅延が生じる。このデータを第２のＬＳＩから第１のＬＳＩに伝送するとさらにＤだけ遅延することになる。
【０１３１】
第１のＬＳＩ側で受信された伝送データは、第１のＬＳＩのクロックの立ち上がりから、２Ｄだけ遅延が発生した信号となる。従って、図６の第５段落目に示すように、遅延量の２Ｄが、周期のＴよりも小さい場合、次の第１のＬＳＩのクロックの立ち上がりで、第２のＬＳＩが送信した伝送データを取り込むことができる。
【０１３２】
すなわち、第１のＬＳＩのクロックの１サイクルの周期Ｔが、第１のＬＳＩと第２のＬＳＩとの間の伝送遅延Ｄの２倍より小さければ、クロックの単方向伝送が可能である。このような条件が満たされ、クロックが単方向伝送される場合の受信部の構成を図７に示す。
【０１３３】
図７は、クロックを伝送データと一緒に送信する場合であり、クロックを単方向で伝送する場合の受信部の構成を示す。図７に示した受信部は、クロックを伝送データと一緒に送信する場合の構成について説明するために、簡略化した図面とし、図１に示した受信部に対して適用した場合の構成は、図１０を参照して説明する。
【０１３４】
図７に示した受信部は、ＬＳＩ３００とＬＳＩ３５０を含み、ＬＳＩ３００は、伝送データ生成部３０１、クロック生成部３０２、フリップフロップ３０３、フリップフロップ３０４、および伝送データ復元部３０５を含む構成とされている。
【０１３５】
ＬＳＩ３５０は、伝送データ生成部３５１、クロック生成部３５２，フリップフロップ３５３、乗換部３５４、フリップフロップ３５５、乗換部３５６、および伝送データ復元部３５７を備える構成とされている。
【０１３６】
図７に示した受信部は、ＬＳＩ３００とＬＳＩ３５０の間でデータの伝送は双方向だが、クロックの伝送はＬＳＩ３００からＬＳＩ３５０への単方向であるように構成されている。
【０１３７】
原発振３７０の発振に基づき、ＬＳＩ３００のクロック生成部３０２は、クロックを生成する。同様に、原発振３７０の発振に基づき、ＬＳＩ３５０のクロック生成部３５２は、クロックを生成する。この場合、ＬＳＩ３００のクロック生成部３０２で生成されたクロックと、ＬＳＩ３５０のクロック生成部３５２で生成されたクロックを比較すると、周波数は同一であることが保証されるが、位相の同期は保証されていない。
【０１３８】
ＬＳＩ３００の伝送データ生成部３０１では、ＬＳＩ３００からＬＳＩ３５０へ伝送が必要な信号に対して時分割多重を行い、伝送データを生成する。伝送データ生成部３０１は、時分割多重を行う際、上記したようにして分類されたグループに基づいて時分割多重を行う。生成された伝送データは、フリップフロップ３０３に供給され、クロック生成部３０２で生成されたクロックと同期される。フロップフロップ３０３で、クロック生成部３０２で生成されたクロックと同期された伝送データと、クロック生成部３０２で生成されたクロックは、ＬＳＩ３５０に送信される。
【０１３９】
ＬＳＩ３５０では、ＬＳＩ３００からの伝送データｆとクロックｇを受信し、フリップフロップ３５５により、伝送データｆとクロックｇが同期される。乗換部３５６では、クロックｇからクロック生成部３５２により生成されたクロックへのクロック乗換が行われる。伝送データ復元部３５７において、伝送データの時分割多重が解かれ、データが取り出される。
【０１４０】
また、ＬＳＩ３５０の伝送データ生成部３５１では、ＬＳＩ３５０からＬＳＩ３００へ伝送が必要な信号に対して時分割多重が行われ、伝送データが生成される。生成された伝送データは、フリップフロップ３５３に供給され、クロック生成部３５２で生成されたクロックと同期される。
【０１４１】
乗換部３５４では、クロック生成部３５２により生成されたクロックからクロックｇへのクロック乗換が行われ、ＬＳＩ３００に対してデータが伝送される。クロックｇは、ＬＳＩ３００のクロック生成部３０２により生成され、ＬＳＩ３００から伝送されてきたクロックである。
【０１４２】
よって、ＬＳＩ３５０からＬＳＩ３００へ伝送される伝送データは、ＬＳＩ３００のクロックと同期された状態でＬＳＩ３５０から送信されるため、位相が非同期なクロック間でのクロック乗換を避けることができ、ＬＳＩ間の伝送信号を減らすことができる。
【０１４３】
ＬＳＩ３５０からの伝送データは、フリッププロップ３０４に供給され、クロック生成部３０２で生成されたクロックと同期され、伝送データ復元部３０５において、伝送データの時分割多重が解かれ、データが取り出される。
【０１４４】
このように、複数のＬＳＩ間で、データの双方向での送受信を行うが、クロックは単方向に送受信する構成とすることもできる。
【０１４５】
なおここでは図示しないが、複数のＬＳＩ間で、データの双方向での送受信を行い、クロックも双方で送受信する構成とすることもできる。
【０１４６】
＜共通クロックの使用について＞
クロック生成部を、ＬＳＩの外に持つ構成とすることで、２つのＬＳＩのクロックの位相同期と周波数同期が保証される構成とすることができる。この場合、ＬＳＩ間の伝送遅延が伝送データの更新周期よりも小さいことが保証されれば、受信側でデータを取り出すことができる。そのような構成を有する受信部を、図８に示す。
【０１４７】
図８に示した受信部は、ＬＳＩ４００とＬＳＩ４５０を備え、これらのＬＳＩとは別に、クロック生成部４７１を備える。ＬＳＩ４００は、伝送データを送信するＬＳＩであり、ＬＳＩ４５０は、伝送データを受信するＬＳＩである。ＬＳＩ４００は、伝送データ生成部４０１とフリップフロップ４０２を備え、ＬＳＩ４５０は、フリップフロップ４５１と伝送データ復元部４５２を含む構成とされている。
【０１４８】
原発振４７０の発振に基づいて、クロック生成部４７１は、クロックを生成する。クロック生成部４７１により生成されたクロックは、ＬＳＩ４００のフリップフロップ４０２と、ＬＳＩ４５０のフリップフロップ４５１にそれぞれ供給される。
【０１４９】
すなわちこの場合、クロック生成部４７１により生成されたクロックは、ＬＳＩ４００とＬＳＩ４５０で共有される。このとき、ＬＳＩ４００のクロックとＬＳＩ４５０のクロックは、周波数も位相も同期することが保証される。
【０１５０】
ＬＳＩ４００の伝送データ生成部４０１は、ＬＳＩ４００からＬＳＩ４５０へ伝送が必要な信号に対して時分割多重を行い、伝送データを生成する。伝送データ生成部４０１により生成された伝送データは、フリップフロップ４０２に供給され、クロック生成部４７１で生成されたクロックと同期され、ＬＳＩ４５０に対して伝送される。
【０１５１】
ＬＳＩ４５０のフリップフロップ４５１は、ＬＳＩ４００からの伝送データｆを受信する。フリップフロップ４５１は、伝送データｆを、クロック生成部４７１で生成されたクロックと同期させ、伝送データ復元部４５２に供給する。伝送データ復元部４５２は、伝送データｆの時分割多重を解き、データを取り出す。
【０１５２】
このように、データの授受を行うＬＳＩの外部にクロックを生成するクロック生成部を設けることで、ＬＳＩ間で、データの授受を行うときの周波数と位相の両方の同期を保証することができる。
【０１５３】
＜双方向クロック伝送の受信部＞
図１に示した受信部に、図５に示した双方向クロック伝送を用いた受信部を適用した場合の受信部の構成を、図９に示す。
【０１５４】
図９に示した受信部は、図１に示した受信部と同一の部分を有し、同一の部分には同一の符号を付し、適宜説明を省略する。図９に示した受信部は、ＬＳＩ６００とＬＳＩ６５０を備える。
【０１５５】
ＬＳＩ６００は、図１に示したＬＳＩ１００と同じく、チューナ１０２、ＢＰＦ１０３、Ａ／Ｄ変換部１０４、直交復調部１０５、ＦＦＴ演算部１０６、等化部１０７、合成部１０８、誤り訂正部１０９、およびセレクタ１１０を備える構成とされている。またチューナ１０２は、乗算部１２１と局部発振器１２２から構成されている。
【０１５６】
ＬＳＩ６００は、さらに、クロック生成部６０１、伝送データ生成部６０２、フリップフロップ６０３、フリップフロップ６０４、乗換部６０５、伝送データ復元部６０６、伝送データ復元部６０７、乗換部６０８、フリップフロップ６０９、伝送データ生成部６１０、およびフリップフロップ６１１も含む。
【０１５７】
同様に、ＬＳＩ６５０は、図１に示したＬＳＩ１５０と同じく、チューナ１５２、ＢＰＦ１５３、Ａ／Ｄ変換部１５４、直交復調部１５５、ＦＦＴ演算部１５６、等化部１５７、合成部１５８、誤り訂正部１５９、およびセレクタ１１５を備える構成とされている。またチューナ１５２は、乗算部１７１と局部発振器１７２から構成されている。
【０１５８】
ＬＳＩ６５０は、さらに、クロック生成部６５１、伝送データ生成部６５２、フリップフロップ６５３、フリップフロップ６５４、乗換部６５５、伝送データ復元部６５６、伝送データ復元部６５７、乗換部６５８、フリップフロップ６５９、伝送データ生成部６６０、およびフリップフロップ６６１も含む。
【０１５９】
ＬＳＩ６００とＬＳＩ６５０は、このような構成を有する。すなわちＬＳＩ６００とＬＳＩ６５０は、同一の構成を有するＬＳＩである。仮にＬＳＩ６００またはＬＳＩ６５０の単体で用いられたとしても、受信部としてアンテナで受信された信号を処理できる構成となっている。また図９に示したように、複数のＬＳＩを用いることで、ダイバーシティなどのシステムにも適用できるように構成されている。
【０１６０】
すなわちこの場合、ＬＳＩ６００（ＬＳＩ６５０）は、単体で用いることも、複数組み合わせて用いることもできる構成となっているため、汎用性が高い。汎用性が高くなることで、生産コストなどを低減させることが可能となる。
【０１６１】
ＬＳＩ６００は、メインモードで動作するＬＳＩであり、原発振１９０の発振に基づいて、クロック生成部６０１が生成したクロックに基づいて動作する。ＬＳＩ６５０は、サブモードで動作するＬＳＩであり、原発振１９０の発振に基づいて、クロック生成部６５１が生成したクロックに基づいて動作する。
【０１６２】
放送局から放送された放送波は、アンテナ１０１により受信され、RF信号としてチューナ１０２に供給される。チューナ１０２は、乗算部１２１および局部発振器１２２から構成され、アンテナ１０１より受信されたRF信号をIF信号に周波数変換する。このチューナ１０２により得られたIF信号は、バンドパスフィルタ１０３によりフィルタリングされた後、Ａ／Ｄ変換部１０４によりデジタル化され、直交復調部１０５に供給される。
【０１６３】
直交復調部１０５は、デジタル化されたIF信号を直交復調し、OFDM時間域信号を出力する。OFDM時間域信号は、ＦＦＴ演算部１０６に供給される。ＦＦＴ演算部１０６は、OFDM時間領域信号に対してＦＦＴ演算を行ない、OFDM周波数域信号を出力する。
【０１６４】
OFDM周波数域信号は、等化部１０７に供給される。等化部１０７は、全てのサブキャリアに対して伝送路特性を算出し、これによりOFDM周波数域信号の伝送路による歪みを補償し、１系統目の等化信号ａを得る。このとき、等化部１０７は、各等化信号の１系統目の信頼度情報ｂも同時に出力する。等化信号ａと信頼度情報ｂは、合成部１０８に対して出力される。
【０１６５】
同様に、放送局から放送された放送波は、アンテナ１５１からも受信され、RF信号としてチューナ１５２に供給される。チューナ１５２は、乗算部１７１および局部発振器１７２から構成され、アンテナ１５１より受信されたRF信号をIF信号に周波数変換する。このチューナ１５２により得られたIF信号は、バンドパスフィルタ１５３によりフィルタリングされた後、Ａ／Ｄ変換部１５４によりデジタル化され、直交復調部１５５に供給される。
【０１６６】
直交復調部１５５は、デジタル化されたIF信号を直交復調し、OFDM時間域信号を出力する。OFDM時間域信号は、ＦＦＴ演算部１５６に供給される。ＦＦＴ演算部１５６は、OFDM時間領域信号に対してＦＦＴ演算を行ない、各サブキャリアに直交変調されているデータを抽出して出力する。
【０１６７】
ＦＦＴ演算部１５６は、OFDM時間領域信号に対してＦＦＴ演算を行ない、OFDM周波数域信号を出力する。OFDM周波数域信号は、等化部１５７に供給される。等化部１５７は、全てのサブキャリアに対して伝送路特性を算出し、これによりOFDM周波数域信号の伝送路による歪みを補償し、２系統目の等化信号ａ’を得る。このとき、等化部１５７は、各等化信号の２系統目の信頼度情報ｂ’も同時に出力する。
【０１６８】
２系統目の等化信号ａ’と２系統目の信頼度情報ｂ’は、メインモードで動作するＬＳＩ６００に対して送信される。２系統目の等化信号ａ’と２系統目の信頼度情報ｂ’が、ＬＳＩ６００に対して送信される際、まず、２系統目の等化信号ａ’と２系統目の信頼度情報ｂ’は、伝送データ生成部６５２により時分割多重される。この時分割多重は、図２を参照して説明した信号の分類に基づいて行われる。
【０１６９】
時分割多重された２系統目の等化信号ａ’と２系統目の信頼度情報ｂ’（以下、伝送データと記述する）は、フリップフロップ６５３に供給される。フリップフロップ６５３には、クロック生成部６５１で生成されたクロックも供給される。フリップフロップ６５３は、供給された伝送データを、供給されたクロックに同期させ、ＬＳＩ６００に対して送信する。
【０１７０】
ＬＳＩ６００には、ＬＳＩ６５０のクロック生成部６５１により生成されたクロックも供給される。クロック生成部６５１で生成されクロックは、ＬＳＩ６００のフリップフロップ６０９と乗換部６０８に供給される。
【０１７１】
ＬＳＩ６００のフリップフロップ６０９は、ＬＳＩ６５０からのクロックで、伝送されてきた伝送データの同期をとる。同期が取られた伝送データは、乗換部６０８に供給される。乗換部６０８には、ＬＳＩ６００内のクロック生成部６０１で生成されたクロックも供給されている。
【０１７２】
乗換部６０８は、ＬＳＩ６５０からのクロックから、ＬＳＩ６００内で生成されたクロックへの乗換を行う。クロックの乗換が行われた伝送データは、伝送データ復元部６０７に供給される。伝送データ復元部６０７に供給されるデータは、時分割多重されているデータであり、ＬＳＩ６００内で生成されたクロックに同期されているデータである。
【０１７３】
伝送データ復元部６０７は、時分割多重を解き、２系統目の等化信号ａ’と２系統目の信頼度情報ｂ’を取り出し、合成部１０８に供給する。合成部１０８は、１系統目の等化信号ａと２系統目の等化信号ａ’を、１系統目の信頼度情報ｂと２系統目の信頼度情報ｂ’に基づいて、合成、または選択を行い、品質が改善された等化信号と、ダイバーシティ利得を反映した信頼度情報を誤り訂正部１０９に出力する。
【０１７４】
誤り訂正部１０９は、ビタビ復号、拡散信号除去、RS復号を行い、復号データを出力する。誤り訂正部１０９が出力するフィードバック信号ｃは、セレクタ１１０を通して等化部１０７に入力される。
【０１７５】
一方、フィードバック信号ｃは、サブモードで動作するＬＳＩ６５０に対しても送信される。フィードバック信号ｃは、伝送データ生成部６１０に供給され、時分割多重され、フリップフロップ６１１に供給される。フリップフロップ６１１には、クロック生成部６０１で生成されたクロックが供給され、そのクロックに、時分割多重化されたフィードバック信号ｃが同期され、ＬＳＩ６５０に送信される。
【０１７６】
ＬＳＩ６５０のフリップフロップ６５４には、時分割多重化されたフィードバック信号ｃと、クロック生成部６０１で生成されたクロックが供給される。フリップフロップ６５４は、供給されるクロックに、供給された時分割多重化されたフィードバック信号ｃを同期させ、乗換部６５５に出力する。
【０１７７】
乗換部６５８には、ＬＳＩ６５０内のクロック生成部６５１で生成されたクロックも供給されている。乗換部６５８は、ＬＳＩ６００からのクロックから、ＬＳＩ６５０内で生成されたクロックへの乗換を行う。クロックの乗換が行われた時分割多重化されたフィードバック信号ｃは、伝送データ復元部６５６に供給される。
【０１７８】
伝送データ復元部６５６は、時分割多重を解き、フィードバック信号ｃを取り出し、セレクタ１６０に供給する。
【０１７９】
このようにして、ＬＳＩ６００とＬＳＩ６５０との間でデータの授受が行われる。
【０１８０】
この構成は、どちらか一方のＬＳＩから他方のＬＳＩに対して単方向の伝送しか行われない場合と、２つのＬＳＩ間で双方向の伝送が行われる場合の両方において適用可能である。
【０１８１】
＜単方向クロック伝送の受信部＞
図１に示した受信部に、図７に示した単方向クロック伝送を用いた受信部を適用した場合の受信部の構成を、図１０に示す。
【０１８２】
図１０に示した受信部は、図１に示した受信部と同一の部分を有し、同一の部分には同一の符号を付し、適宜説明を省略する。図１０に示した受信部は、ＬＳＩ７００とＬＳＩ７５０を備える。
【０１８３】
ＬＳＩ７００は、図１に示したＬＳＩ１００と同じく、チューナ１０２、ＢＰＦ１０３、Ａ／Ｄ変換部１０４、直交復調部１０５、ＦＦＴ演算部１０６、等化部１０７、合成部１０８、誤り訂正部１０９、およびセレクタ１１０を備える構成とされている。またチューナ１０２は、乗算部１２１と局部発振器１２２から構成されている。
【０１８４】
ＬＳＩ７００は、さらに、クロック生成部７０１、伝送データ生成部７０２、フリップフロップ７０３、フリップフロップ７０４、伝送データ復元部７０５、伝送データ復元部７０６、乗換部７０７、フリップフロップ７０８、伝送データ生成部７０９、フリップフロップ７１０、および乗換部７１１を含む。
【０１８５】
同様に、ＬＳＩ７５０は、図１に示したＬＳＩ１５０と同じく、チューナ１５２、ＢＰＦ１５３、Ａ／Ｄ変換部１５４、直交復調部１５５、ＦＦＴ演算部１５６、等化部１５７、合成部１５８、誤り訂正部１５９、およびセレクタ１１５を備える構成とされている。またチューナ１５２は、乗算部１７１と局部発振器１７２から構成されている。
【０１８６】
ＬＳＩ７５０は、さらに、クロック生成部７５１、伝送データ生成部７５２、フリップフロップ７５３、フリップフロップ７５４、伝送データ復元部７５５、伝送データ復元部７５６、乗換部７５７、フリップフロップ７５８、伝送データ生成部７５９、フリップフロップ７６０、および乗換部７６１を含む。
【０１８７】
ＬＳＩ７００とＬＳＩ７５０は、このような構成を有する。すなわちＬＳＩ７００とＬＳＩ７５０は、同一の構成を有するＬＳＩである。仮にＬＳＩ７００またはＬＳＩ７５０の単体で用いられたとしても、受信部としてアンテナで受信された信号を処理できる構成となっている。また図１０に示したように、複数のＬＳＩを用いることで、ダイバーシティなどのシステムにも適用できるように構成されている。
【０１８８】
すなわちこの場合、ＬＳＩ７００（ＬＳＩ７５０）は、単体で用いることも、複数組み合わせて用いることもできる構成となっているため、汎用性が高い。汎用性が高くなることで、生産コストなどを低減させることが可能となる。
【０１８９】
ＬＳＩ７００は、メインモードで動作するＬＳＩであり、原発振１９０の発振に基づいて、クロック生成部７０１が生成したクロックに基づいて動作する。ＬＳＩ７５０は、サブモードで動作するＬＳＩであり、原発振１９０の発振に基づいて、クロック生成部７５１が生成したクロックに基づいて動作する。
【０１９０】
アンテナ１０１またはアンテナ１５１で受信された信号に対する処理などは、図１を参照して説明した場合と同じなので、ここではその説明を省略し、ＬＳＩ７００からＬＳＩ７５０へ信号が供給されるときの処理、またＬＳＩ７５０からＬＳＩ７００に信号が供給されるときの処理について説明を加える。
【０１９１】
ＦＦＴ演算部１５６は、OFDM時間領域信号に対してＦＦＴ演算を行ない、OFDM周波数域信号を等化部１５７に供給する。等化部１５７は、全てのサブキャリアに対して伝送路特性を算出し、これによりOFDM周波数域信号の伝送路による歪みを補償し、２系統目の等化信号ａ’を得る。このとき、等化部１５７は、各等化信号の２系統目の信頼度情報ｂ’も同時に出力する。
【０１９２】
２系統目の等化信号ａ’と２系統目の信頼度情報ｂ’は、メインモードで動作するＬＳＩ７００に対して送信される。２系統目の等化信号ａ’と２系統目の信頼度情報ｂ’が、ＬＳＩ７００に対して送信される際、まず、２系統目の等化信号ａ’と２系統目の信頼度情報ｂ’は、伝送データ生成部７５２により時分割多重される。
【０１９３】
時分割多重された２系統目の等化信号ａ’と２系統目の信頼度情報ｂ’（以下、伝送データと記述する）は、フリップフロップ７５３に供給される。フリップフロップ７５３には、クロック生成部７５１で生成されたクロックも供給される。フリップフロップ７５３は、供給された伝送データを、供給されたクロックに同期させ、ＬＳＩ７００に対して送信する。
【０１９４】
ＬＳＩ７００には、ＬＳＩ７５０のクロック生成部７５１により生成されたクロックも供給される。クロック生成部７５１で生成されクロックは、ＬＳＩ７００のフリップフロップ７０８と乗換部７０７に供給される。
【０１９５】
ＬＳＩ７００のフリップフロップ７０８は、ＬＳＩ７５０からのクロックで、伝送されてきた伝送データの同期をとる。同期が取られた伝送データは、乗換部７０７に供給される。乗換部７０７には、ＬＳＩ７００内のクロック生成部７０１で生成されたクロックも供給されている。
【０１９６】
乗換部７０７は、ＬＳＩ７５０からのクロックから、ＬＳＩ７００内で生成されたクロックへの乗換を行う。クロックの乗換が行われた伝送データは、伝送データ復元部７０６に供給される。伝送データ復元部７０６に供給されるデータは、時分割多重されているデータであり、ＬＳＩ７００内で生成されたクロックに同期されているデータである。
【０１９７】
伝送データ復元部７０６は、時分割多重を解き、２系統目の等化信号ａ’と２系統目の信頼度情報ｂ’を取り出し、合成部１０８に供給する。合成部１０８は、１系統目の等化信号ａと２系統目の等化信号ａ’を、１系統目の信頼度情報ｂと２系統目の信頼度情報ｂ’に基づいて、合成、または選択を行い、品質が改善された等化信号と、ダイバーシティ利得を反映した信頼度情報を誤り訂正部１０９に出力する。
【０１９８】
誤り訂正部１０９は、ビタビ復号、拡散信号除去、RS復号を行い、復号データを出力する。誤り訂正部１０９が出力するフィードバック信号ｃは、セレクタ１１０を通して等化部１０７に入力される。
【０１９９】
一方、フィードバック信号ｃは、サブモードで動作するＬＳＩ７５０に対しても送信される。フィードバック信号ｃは、伝送データ生成部７０９に供給され、時分割多重され、フリップフロップ７１０に供給される。フリップフロップ７１０には、クロック生成部７０１で生成されたクロックが供給され、そのクロックに、時分割多重化されたフィードバック信号ｃが同期され、乗換部７１１に供給される。
【０２００】
乗換部７１１には、ＬＳＩ７００内のクロック生成部７０１で生成されたクロックと、ＬＳＩ７５０のクロック生成部７５１で生成されたクロックが供給されている。乗換部７１１は、クロック生成部７０１で生成されたクロックから、クロック生成部７５１で生成されたクロックへとクロックの乗換を行う。
【０２０１】
クロックが乗り換えられた時分割多重化されているフィードバック信号ｃは、ＬＳＩ７５０へと送信される。ＬＳＩ７５０では、ＬＳＩ７００からの信号を、フリップフロップ７５４で受信する。フリップフロップ７５４には、ＬＳＩ７５０内のクロック生成部７０１で生成されたクロックも供給されている。
【０２０２】
フリップフロップ７５４は、供給された時分割多重化されているフィードバック信号ｃを、クロック生成部７５１で生成されたクロックに同期させ、伝送データ復元部７５５に供給する。伝送データ復元部７５５は、時分割多重を解き、フィードバック信号ｃを取り出し、セレクタ１６０に供給する。
【０２０３】
このようにして、ＬＳＩ７００とＬＳＩ７５０との間でデータの授受が行われる。
【０２０４】
このような構成は、ＬＳＩ間の伝送遅延に制約が必要だが、クロックの伝送を単方向のみとすることができる。
【０２０５】
＜共通クロックの受信部＞
図１に示した受信部に、図８に示した共通クロックを用いた受信部を適用した場合の受信部の構成を、図１１に示す。
【０２０６】
図１１に示した受信部は、図１に示した受信部と同一の部分を有し、同一の部分には同一の符号を付し、適宜説明を省略する。図１１に示した受信部は、ＬＳＩ８００とＬＳＩ８５０を備える。
【０２０７】
ＬＳＩ８００は、図１に示したＬＳＩ１００と同じく、チューナ１０２、ＢＰＦ１０３、Ａ／Ｄ変換部１０４、直交復調部１０５、ＦＦＴ演算部１０６、等化部１０７、合成部１０８、誤り訂正部１０９、およびセレクタ１１０を備える構成とされている。またチューナ１０２は、乗算部１２１と局部発振器１２２から構成されている。
【０２０８】
ＬＳＩ８００は、さらに、伝送データ生成部８０１、フリップフロップ８０２、フリップフロップ８０３、伝送データ復元部８０４、伝送データ復元部８０５、フリップフロップ８０６、伝送データ生成部８０７、およびフリップフロップ８０８を含む。
【０２０９】
同様に、ＬＳＩ８５０は、図１に示したＬＳＩ１５０と同じく、チューナ１５２、ＢＰＦ１５３、Ａ／Ｄ変換部１５４、直交復調部１５５、ＦＦＴ演算部１５６、等化部１５７、合成部１５８、誤り訂正部１５９、およびセレクタ１１５を備える構成とされている。またチューナ１５２は、乗算部１８１と局部発振器１７２から構成されている。
【０２１０】
ＬＳＩ８５０は、さらに、伝送データ生成部８５１、フリップフロップ８５２、フリップフロップ８５３、伝送データ復元部８５４、伝送データ復元部８５５、フリップフロップ８５６、伝送データ生成部８５７、およびフリップフロップ８５８を含む。
【０２１１】
ＬＳＩ８００とＬＳＩ８５０は、このような構成を有する。すなわちＬＳＩ８００とＬＳＩ８５０は、同一の構成を有するＬＳＩである。仮にＬＳＩ８００またはＬＳＩ８５０の単体で用いられたとしても、受信部としてアンテナで受信された信号を処理できる構成となっている。また図１１に示したように、複数のＬＳＩを用いることで、ダイバーシティなどのシステムにも適用できるように構成されている。
【０２１２】
すなわちこの場合、ＬＳＩ８００（ＬＳＩ８５０）は、単体で用いることも、複数組み合わせて用いることもできる構成となっているため、汎用性が高い。汎用性が高くなることで、生産コストなどを低減させることが可能となる。
【０２１３】
ＬＳＩ８００は、メインモードで動作するＬＳＩである。ＬＳＩ８５０は、サブモードで動作するＬＳＩである。原発振１９０の発振に基づき、ＬＳＩ８００やＬＳＩ８５０の外に配置されたクロック生成部８８０により生成されたクロックは、メインモードで動作するＬＳＩ８００とサブモードで動作するＬＳＩ８５０の両方に分配される。このとき、ＬＳＩ８００とＬＳＩ８５０に供給されるクロックの周波数と位相は、ともに同期した状態である。
【０２１４】
アンテナ１０１またはアンテナ１５１で受信された信号に対する処理などは、図１を参照して説明した場合と同じなので、ここではその説明を省略し、ＬＳＩ８００からＬＳＩ８５０へ信号が供給されるときの処理、またＬＳＩ８５０からＬＳＩ８００に信号が供給されるときの処理について説明を加える。
【０２１５】
ＦＦＴ演算部１５６は、OFDM時間領域信号に対してＦＦＴ演算を行ない、OFDM周波数域信号を等化部１５７に供給する。等化部１５７は、全てのサブキャリアに対して伝送路特性を算出し、これによりOFDM周波数域信号の伝送路による歪みを補償し、２系統目の等化信号ａ’を得る。このとき、等化部１５７は、各等化信号の２系統目の信頼度情報ｂ’も同時に出力する。
【０２１６】
２系統目の等化信号ａ’と２系統目の信頼度情報ｂ’は、メインモードで動作するＬＳＩ８００に対して送信される。２系統目の等化信号ａ’と２系統目の信頼度情報ｂ’が、ＬＳＩ８００に対して送信される際、まず、２系統目の等化信号ａ’と２系統目の信頼度情報ｂ’は、伝送データ生成部８５１により時分割多重される。
【０２１７】
時分割多重された２系統目の等化信号ａ’と２系統目の信頼度情報ｂ’（以下、伝送データと記述する）は、フリップフロップ８５２に供給される。フリップフロップ８５２には、ＬＳＩ８５０の外部に設けられているクロック生成部８８０で生成されたクロックも供給される。フリップフロップ８５２は、供給された伝送データを、供給されたクロックに同期させ、ＬＳＩ８００に対して送信する。
【０２１８】
ＬＳＩ８００は、フリップフロップ８０６で、ＬＳＩ８５０からの伝送データを受信する。フリップフロップ８０６には、クロック生成部８８０で生成されたクロックも供給される。ＬＳＩ８００のフリップフロップ８０６は、クロック生成部８８０で生成されたクロックで、伝送されてきた伝送データの同期をとる。
【０２１９】
同期が取られた伝送データは、伝送データ復元部８０５に供給される。伝送データ復元部８０５に供給されるデータは、時分割多重されているデータであり、クロック生成部８８０で生成されたクロックに同期されているデータである。
【０２２０】
伝送データ復元部８０５は、時分割多重を解き、２系統目の等化信号ａ’と２系統目の信頼度情報ｂ’を取り出し、合成部１０８に供給する。合成部１０８は、１系統目の等化信号ａと２系統目の等化信号ａ’を、１系統目の信頼度情報ｂと２系統目の信頼度情報ｂ’に基づいて、合成、または選択を行い、品質が改善された等化信号と、ダイバーシティ利得を反映した信頼度情報を誤り訂正部１０９に出力する。
【０２２１】
誤り訂正部１０９は、ビタビ復号、拡散信号除去、RS復号を行い、復号データを出力する。誤り訂正部１０９が出力するフィードバック信号ｃは、セレクタ１１０を通して等化部１０７に入力される。
【０２２２】
一方、フィードバック信号ｃは、サブモードで動作するＬＳＩ８５０に対しても送信される。フィードバック信号ｃは、伝送データ生成部８０７に供給され、時分割多重され、フリップフロップ８０８に供給される。フリップフロップ８０８には、クロック生成部８８０で生成されたクロックが供給され、そのクロックに、時分割多重化されたフィードバック信号ｃが同期され、ＬＳＩ８５０へと送信される。
【０２２３】
ＬＳＩ８５０では、ＬＳＩ８００からの信号を、フリップフロップ８５３で受信する。フリップフロップ８５３には、ＬＳＩ８５０の外部にあるクロック生成部８８０で生成されたクロックも供給されている。
【０２２４】
フリップフロップ８５３は、供給された時分割多重化されているフィードバック信号ｃを、クロック生成部８８０で生成されたクロックに同期させ、伝送データ復元部８５４に供給する。伝送データ復元部８５４は、時分割多重を解き、フィードバック信号ｃを取り出し、セレクタ１６０に供給する。
【０２２５】
このようにして、ＬＳＩ８００とＬＳＩ８５０との間でデータの授受が行われる。
【０２２６】
このような構成は、ＬＳＩ間の伝送遅延に制約が必要だが、クロックの伝送が不要となり、ＬＳＩ間の伝送に使用するピン（PIN）の数をさらに削減することができる。
【０２２７】
このように、本技術を適用することで、複数のＬＳＩを用いてダイバーシティ利得を得る要求があるシステムにおいて、ＬＳＩ間の伝送に必要な信号が多い場合でも、伝送が必要な信号をその特性により分類し、その分類されたグループ内で時分割多重した信号をＬＳＩ間で伝送することにより、ＬＳＩ間の伝送に使用するピン（PIN）の数を、機能を保ちつつ削減することができる。
【０２２８】
また、複数のＬＳＩ間でクロックの位相が同一であることが保証されない場合でも、クロックを単方向、または双方向に伝送することにより、伝送が必要な信号を取りこぼすことなく伝送することができる。
【０２２９】
さらに、原発振およびクロック生成部をＬＳＩの外に置く構成を取ることで、クロックの伝送が不要となり、伝送が必要な信号を取りこぼすことなく伝送することができる。
【０２３０】
＜記録媒体について＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２３１】
図１２は、上述した一連の処理をプログラムにより実行するコンピュータのハードウエアの構成例を示すブロック図である。コンピュータにおいて、ＣＰＵ（Central Processing Unit）１１０１、ＲＯＭ（Read Only Memory）１１０２、ＲＡＭ（Random Access Memory）１１０３は、バス１１０４により相互に接続されている。バス１１０４には、さらに、入出力インタフェース１１０５が接続されている。入出力インタフェース１１０５には、入力部１１０６、出力部１１０７、記憶部１１０８、通信部１１０９、及びドライブ１１１０が接続されている。
【０２３２】
入力部１１０６は、キーボード、マウス、マイクロフォンなどよりなる。出力部１１０７は、ディスプレイ、スピーカなどよりなる。記憶部１１０８は、ハードディスクや不揮発性のメモリなどよりなる。通信部１１０９は、ネットワークインタフェースなどよりなる。ドライブ１１１０は、磁気ディスク、光ディスク、光磁気ディスク、又は半導体メモリなどのリムーバブルメディア１１１１を駆動する。
【０２３３】
以上のように構成されるコンピュータでは、ＣＰＵ１１０１が、例えば、記憶部１１０８に記憶されているプログラムを、入出力インタフェース１１０５及びバス１１０４を介して、ＲＡＭ１１０３にロードして実行することにより、上述した一連の処理が行われる。
【０２３４】
コンピュータ（ＣＰＵ１１０１）が実行するプログラムは、例えば、パッケージメディア等としてのリムーバブルメディア１１１１に記録して提供することができる。また、プログラムは、ローカルエリアネットワーク、インターネット、デジタル衛星放送といった、有線または無線の伝送媒体を介して提供することができる。
【０２３５】
コンピュータでは、プログラムは、リムーバブルメディア１１１１をドライブ１１１０に装着することにより、入出力インタフェース１１０５を介して、記憶部１１０８にインストールすることができる。また、プログラムは、有線または無線の伝送媒体を介して、通信部１１０９で受信し、記憶部１１０８にインストールすることができる。その他、プログラムは、ＲＯＭ１１０２や記憶部１１０８に、あらかじめインストールしておくことができる。
【０２３６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２３７】
また、本明細書において、システムとは、複数の装置により構成される装置全体を表すものである。
【０２３８】
なお、本明細書に記載された効果はあくまで例示であって限定されるものでは無く、また他の効果があってもよい。
【０２３９】
なお、本技術の実施の形態は、上述した実施の形態に限定されるものではなく、本技術の要旨を逸脱しない範囲において種々の変更が可能である。
【０２４０】
なお、本技術は以下のような構成も取ることができる。
【０２４１】
（１）
取得した信号を処理する処理部同士で授受すべき信号を分類し、前記分類されたグループ内の信号を時分割多重して伝送する信号伝送部
を備える信号処理装置。
（２）
前記分類は、信号の更新周期、更新タイミング、許容される伝送遅延の少なくとも１つの特性に依存して行われる
前記（１）に記載の信号処理装置。
（３）
前記グループ内に属する信号は、更新周期内に伝送が完了し、許容される遅延の範囲内で伝送が完了し、最小のピン数で伝送されるように時分割多重される
前記（１）または（２）に記載の信号処理装置。
（４）
異なる前記グループに属する信号のうち、更新周期内に伝送が完了し、許容される遅延の範囲内に伝送が完了する信号は、時分割多重され、同一のピンで伝送される
前記（１）乃至（３）のいずれかに記載の信号処理装置。
（５）
前記分類されたグループは、
イネーブル信号を含む第１のグループ、イネーブル信号に同期する信号が属する第２のグループ、不定期に周期が変化する信号が属する第３のグループ、および基本的に周期が変化しない信号が属する第４のグループである
前記（１）乃至（４）のいずれかに記載の信号処理装置。
（６）
前記分類されたグループは、
イネーブル信号を含む第１のグループ、OFDMの各サブキャリアのデータとスタートフラグを含み、OFDMの１シンボル中に数千回のデータ伝送を必要とする信号が属する第２のグループ、内部状態を表す信号が属する第３のグループ、および放送パラメータを表す信号が属する第４のグループである
前記（１）乃至（５）のいずれかに記載の信号処理装置。
（７）
前記第１のグループに属する信号は、１本のピンで伝送され、前記第２のグループに属する信号は、所定の本数のピンで伝送され、前記第３のグループに属する信号と前記第４のグループに属する信号は、同一の所定の本数のピンで伝送される
前記（６）に記載の信号処理装置。
（８）
前記処理部同士の前記信号の伝送方向は、単方向であり、
前記処理部同士の前記クロックの伝送方向は、単方向である
前記（１）乃至（７）のいずれかに記載の信号処理装置。
（９）
前記処理部同士の前記信号の伝送方向は、双方向であり、
前記処理部同士の前記クロックの伝送方向は、双方向である
前記（１）乃至（７）のいずれかに記載の信号処理装置。
（１０）
前記処理部同士の前記信号の伝送方向は、双方向であり、
前記処理部同士の前記クロックの伝送方向は、単方向である
前記（１）乃至（７）のいずれかに記載の信号処理装置。
（１１）
前記処理部は、前記処理部の外部に設けられ、クロックを生成し、前記処理部に供給するクロック生成部からのクロックで動作する
前記（１）乃至（７）のいずれかに記載の信号処理装置。
（１２）
第１の処理部から伝送されてきた前記時分割多重されている前記信号を受信する第２の処理部は、
前記第１の処理部から伝送されてきたクロックから、自己が生成したクロックに乗換、前記第１の処理部からの信号を処理する
前記（１）乃至（１１）のいずれかに記載の信号処理装置。
（１３）
取得した信号を処理する処理部同士で授受すべき信号を分類し、
前記分類されたグループ内の信号を時分割多重して伝送する
ステップを含む信号処理方法。
（１４）
取得した信号を処理する処理部同士で授受すべき信号を分類し、
前記分類されたグループ内の信号を時分割多重して伝送する
ステップを含む処理をコンピュータに実行させるためのプログラム。
（１５）
同一の構成を有する処理部にデータを伝送する伝送部と、
同一の構成を有する処理部からのデータを受信する受信部と
を備え、
前記伝送部は、
伝送するデータを時分割多重し、第１の伝送データを生成する伝送データ生成部と、
クロックを生成するクロック生成部と、
前記伝送データ生成部で生成された前記第１の伝送データを、前記クロックに同期させ、前記処理部に伝送する第１の同期部と
を備え、
前記受信部は、
前記処理部から供給されるクロックで、時分割多重されている第２の伝送データを同期させる第２の同期部と、
前記処理部からのクロックから、前記クロック生成部で生成したクロックに乗り換える乗換部と、
前記乗換部でクロックが乗り換えられた前記第２の伝送データの時分割多重を解き、データを復元する伝送データ復元部と
を備える
信号処理装置。
（１６）
同一の構成を有する処理部にデータを伝送する伝送部と、
同一の構成を有する処理部からのデータを受信する受信部と
を備え、
前記伝送部は、
伝送するデータを時分割多重し、第１の伝送データを生成する伝送データ生成部と、
クロックを生成するクロック生成部と、
前記伝送データ生成部で生成された前記第１の伝送データを、前記クロックに同期させる第１の同期部と、
前記クロックから、前記処理部から供給されるクロックに乗換、前記処理部に前記第１の伝送データを伝送する第１の乗換部と
を備え、
前記受信部は、
前記処理部から供給されるクロックで、前記処理部からの時分割多重されている第２の伝送データを同期させる第２の同期部と、
前記処理部からのクロックから、前記クロック生成部で生成したクロックに乗り換える第２の乗換部と、
前記乗換部でクロックが乗り換えられた前記第２の伝送データの時分割多重を解き、データを復元する伝送データ復元部と
を備える
信号処理装置。
（１７）
同一の構成を有する処理部にデータを伝送する伝送部と、
同一の構成を有する処理部からのデータを受信する受信部と
を備え、
前記伝送部は、
伝送するデータを時分割多重し、第１の伝送データを生成する伝送データ生成部と、
前記伝送データ生成部で生成された前記第１の伝送データを、外部のクロック生成部で生成されたクロックに同期させ、前記処理部に伝送する第１の同期部と
を備え、
前記受信部は、
前記クロック生成部で生成された前記クロックで、前記処理部からの時分割多重されている第２の伝送データを同期させる第２の同期部と、
前記第２の同期部で前記クロックと同期された前記第２の伝送データの時分割多重を解き、データを復元する伝送データ復元部と
を備える
信号処理装置。
【符号の説明】
【０２４２】
２００  ＬＳＩ，  ２０１  伝送データ生成部，  ２０２  クロック生成部，  ２０３  フリップフロップ，  ２５０  ＬＳＩ，  ２５１  クロック生成部，  ２５２  フリップフロップ，  ２５３  乗換部，  ２５４  伝送データ復元部，  ３００  ＬＳＩ，  ３０１  伝送データ生成部，  ３０２  クロック生成部，  ３０３  フリップフロップ，  ３０４  フリップフロップ，  ３０５  伝送データ復元部，  ３５０  ＬＳＩ，  ３５１  伝送データ生成部，  ３５２  クロック生成部，  ３５３  フリップフロップ，  ３５４  乗換部，  ３５５  フリップフロップ，  ３５６  乗換部，  ３５７  伝送データ復元部，  ４００  ＬＳＩ，  ４０１  伝送データ生成部，  ４０２  フリップフロップ，  ４５０  ＬＳＩ，  ４５１  フリップフロップ，  ４５２  伝送データ復元部，  ４７１  クロック生成部
【図１】
2015079943.tif 000003
【図２】
2015079943.tif 000004
【図３】
2015079943.tif 000005
【図４】
2015079943.tif 000006
【図５】
2015079943.tif 000007
【図６】
2015079943.tif 000008
【図７】
2015079943.tif 000009
【図８】
2015079943.tif 000010
【図９】
2015079943.tif 000011
【図１０】
2015079943.tif 000012
【図１１】
2015079943.tif 000013
【図１２】
2015079943.tif 000014
【国際調査報告】
2015079943.tif 000015
2015079943.tif 000016
2015079943.tif 000017
2015079943.tif 000018